(57)【要約】【課題】配線工事が容易で、設置コストが安く、消費電力も少なく、エコ効果が顕著なコンピュータ群への電源供給システムに関する管理システムを提供する。【解決手段】複数個のコンピュータ群２に電源を供給する為のシステム１であって、領域３に於ける基礎フロア２１上、若しくはＯＡフロア４上に配置されている複数個のコンピュータ群２が、所定の幅と長さを有する導電性材料からなる複数個の平板状絶縁導体母線５が相互に連接されて形成された一対の長尺状絶縁導体母線１０を介して、外部電源２５と接続されている電源供給システム１【選択図】図１
2012008764.tif 000002
【特許請求の範囲】
【請求項１】
複数個のコンピュータが集中して配置されている一定の領域に於ける当該各コンピュータに電源を供給する為のシステムであって、当該電源供給システムに於いては、当該領域に於ける基礎フロア上、若しくはフリーアクセスフロア上に直接的に若しくは適宜の基台部を介して配置されている複数このコンピュータ群が、当該領域内の空間部に配置された、所定の幅と長さを有する導電性材料からなる平板状の長尺状絶縁導体母線を介して、外部電源と接続されている事を特徴とする電源供給システム。
【請求項２】
当該平板状の長尺状絶縁導体母線は、銅、白金、金、アルミ、超電導物質、導電性合成樹脂等の導電性材料で主として形成された膜状体で構成されている特徴とする請求項１に記載の電源供給システム。
【請求項３】
当該長尺状絶縁導体母線は、銅、白金、金、アルミ、超電導物質、導電性合成樹脂等の導電性材料から選択された少なくとも一つの材料で構成されている事を特徴とする請求項１に記載の電源供給システム。
【請求項４】
当該長尺状絶縁導体母線は、銅、白金、金、アルミ、超電導物質、導電性合成樹脂等から選択された少なくとも一つの材料から形成された膜状体が、適宜の基板上に配置形成された部材で構成されている事を特徴とする請求項１に記載の電源供給システム。
【請求項５】
当該平板状の長尺状絶縁導体母線は、所定の幅と長さを有する導電性材料からなる複数個の平板状絶縁導体母線ユニットが相互に長手方向を含む任意の方向に連接されて形成されている特徴とする請求項１乃至４の何れかに記載の電源供給システム。
【請求項６】
当該平板状絶縁導体母線ユニットは、絶縁材料により被覆されている事を特徴とする請求項１乃至５の何れかに記載の電源供給システム。
【請求項７】
当該平板状絶縁導体母線ユニットは、当該平板状絶縁導体母線ユニットの長手方向端縁部から外方に突出して設けられた導電性接続部が設けられている事を特徴とする請求項３乃至６の何れかに記載の電源供給システム。
【請求項８】
当該平板状絶縁導体母線ユニットは、当該平板状絶縁導体母線ユニットの長手方向に対して所定の角度を持って形成された屈折部が、当該平板状絶縁導体母線ユニットの長手方向端縁部若しくは当該平板状絶縁導体母線ユニットの少なくとも一方の長手方向端部から、外方に突出して設けられている事を特徴とする請求項３乃至７の何れかに記載の電源供給システム。
【請求項９】
２本若しくは３本の当該長尺状絶縁導体母線ユニット群が、それぞれ１つの組を構成し、当該それぞれの組のそれぞれの長尺状絶縁導体母線ユニットが、相互に異なる個別の電極として機能する事を特徴とする請求項１乃至８の何れかに記載の電源供給システム。
【請求項１０】
当該複数個の長尺状絶縁導体母線ユニットが、相互に接続されて形成された一組の長尺状絶縁導体母線は、当該数個のコンピュータ群が配置されている領域の空間部内で、当該数個のコンピュータ群に沿って、配置されている事を特徴とする請求項１乃至９の何れかに記載の電源供給システム。
【請求項１１】
少なくとも一つの組を構成する複数本の当該長尺状絶縁導体母線のそれぞれが、当該領域内の基礎フロア面に対して、当該長尺状絶縁導体母線に於ける幅方向線が当該基礎フロア面に対して、直交する角度若しくはそれ以外の角度を形成する様に、当該空間部内で立体的に配列されている事を特徴とする請求項１０に記載の電源供給システム。
【請求項１２】
少なくとも一つの組を構成する複数本の当該長尺状絶縁導体母線のそれぞれが、当該領域内の基礎フロア面に対して、当該長尺状絶縁導体母線に於ける幅方向線が当該基礎フロア面と平行となる様に、当該空間部内で重畳的に積層配置されている事を特徴とする請求項１０に記載の電源供給システム。
【請求項１３】
少なくとも一つの組を構成する複数本の当該長尺状絶縁導体母線のそれぞれが、当該領域内の基礎フロア面に対して、当該長尺状絶縁導体母線に於ける幅方向線が当該基礎フロア面と平行となる様に、当該空間部内で並列平行的に配置されている事を特徴とする請求項１０に記載の電源供給システム。
【請求項１４】
当該空間部は、当該所定の領域内に形成される当該コンピュータ本体部を除く、当該コンピュータ本体部の上面部、側面部、下面部、及びバスダクト部等から選択された一つに沿って形成されている任意の空間である事を特徴とする請求項１乃至１３の何れかに記載の電源供給システム。
【請求項１５】
当該空間部は、当該所定の領域内に於ける基礎フロア部面と当該基礎フロア部面上に形成されたフリーアクセスフロアとの間に形成される空洞部であるか、若しくは、当該所定の領域内に於ける基礎フロア部面又は当該フリーアクセスフロア面と当該コンピュータ群の下端部との間に挿入配置される、適宜の高さを有する枠体部で構成された基台部内に形成される空洞部である事を特徴とする請求項１乃至１３の何れかに記載の電源供給システム。
【請求項１６】
当該長尺状絶縁導体母線ユニットは、当該基台部の当該枠体部の少なくとも一部に適宜の固定部材を介して固定されている事を特徴とする請求項５乃至１５の何れかに記載の電源供給システム。
【請求項１７】
当該複数本の長尺状絶縁導体母線ユニットが相互に接続されて形成された当該長尺状絶縁導体母線に形成された当該導電性接続部が、当該個々のコンピュータの電源入力部若しくは複数個のコンピュータ群を含むラック手段に於ける共通電源入力部と接合されている事を特徴とする請求項５乃至１６の何れかに記載の電源供給システム。
【請求項１８】
当該導電性接続部が、適宜のブレーカを介して該個々のコンピュータの電源入力部若しくは複数個のコンピュータ群を含むラック手段に於ける共通電源入力部と接合されている事を特徴とする請求項１７に記載の電源供給システム。
【請求項１９】
当該平板状絶縁導体母線ユニットの何れかの長手方向端部には、隣接する当該平板状絶縁導体母線ユニット相互間を連接する為の導電性連結手段、若しくは外部電源に接続するための導電性電源接続手段が設けられている事を特徴とする請求項５乃至１８の何れかに記載の電源供給システム。
【請求項２０】
当該導電性連結手段若しくは当該導電性電源接続手段は、耐震性を有するものである事を特徴とする請求項１９に記載の電源供給システム。
【請求項２１】
当該外部電源は、直流電源若しくは交流電源の何れか或はその双方である事を特徴とする請求項１乃至２０の何れかに記載の電源供給システム。
【請求項２２】
当該外部電源は、当該領域の天井部近傍に配置されている事を特徴とする請求項１乃至２１の何れかに記載の電源供給システム。
【請求項２３】
複数個の当該長尺状絶縁導体母線ユニットは、当該基台部の枠体部内に適宜の固定手段を介して、相互に並列に配列固定されている事を特徴とする請求項５乃至２２のいずれかに記載の電源供給システム。
【請求項２４】
当該複数個の基台部が当該コンピュータ群の上面部、下端部若しくは側面部に沿って、適宜の形状で隣接配置されている事を特徴とする請求項２３に記載の電源供給システム。
【請求項２５】
当該相互に隣接配置された基台部内の個々に対応するそれぞれの長尺状絶縁導体母線ユニットの端部間が、適宜の導電性連結手段を介して相互に連結されるように構成されている事を特徴とする請求項２３又は２４に記載の電源供給システム。
【請求項２６】
複数台のコンピュータが集中して配置されている一定の領域に於ける当該各コンピュータに電源を供給する為のシステムであって、当該電源供給システムは、当該領域に於ける基礎フロア上、若しくはフリーアクセスフロア上に配置されている複数個のコンピュータ群と、
当該コンピュータ群の下端部と当該何れかのフロア表面との間に形成された空洞部内、若しくは当該基礎フロア上と当該フリーアクセスフロア間に形成された空洞部内、若しくは、当該コンピュータ群の上面部の空間部内に配置された、所定の幅と長さを有する導電性材料からなる平板状絶縁導体母線ユニットが、その長手方向に連接されて形成された少なくとも一組の長尺状絶縁導体母線と、
当該長尺状絶縁導体母線の長手方向端部の少なくとも一方の端部に配置された外部電源部と接続する為の電源接続部と、
当該長尺状絶縁導体母線の側縁部から突起して形成された、当該各コンピュータのそれぞれの電源部、若しくは、複数個のコンピュータ群がグループ化されて集合しているコンピュータラック部の共通電源部に接続される導電性接続部と、
隣接する当該長尺状絶縁導体母線ユニットの対向する端部同士を電気的に連結する連結手段と
から構成されている事を特徴とするコンピュータに電源を供給する為のシステム。
【請求項２７】
複数個のコンピュータが集中して配置されている一定の領域に於ける当該各コンピュータに電源を供給する為のシステムであって、当該コンピュータが平板状の長尺状絶縁導体母線を介して、外部電源と接続されているシステムに於いて使用される基台部ユニットであって、当該基台部は、所定の高さを持つ枠体部を有し、当該枠体部内には、複数本の互いに平行に配置された長尺状絶縁導体母線ユニット群が、当該枠体部に固定的若しくは着脱自在な状態で配置されており、且つ、当該枠体部の外側壁面には、隣接する当該基台部のそれぞれ対応する長尺状絶縁導体母線ユニット同士が相互に着脱自在に電気的に接続する事を可能とする接続手段が設けられている事を特徴とする基台部ユニット。
【発明の詳細な説明】
【技術分野】
【０００１】
本発明は、複数台のコンピュータが集中して配置されている一定の領域に於ける当該各コンピュータに電源を供給する為のシステムに関するものであり、特に詳しくは、配線工事が容易で、設置コストが安く、消費電力も少なく、エコ効果が顕著なコンピュータ群への電源供給システムに関するものである。
【背景技術】
【０００２】
従来、複数個のコンピュータ群を所定の空間内に設置して、それらを駆動させる際に、外部電源から供給される電力を各コンピュータに供給する為に、複数本の銅線からなる配線コードを使用する必要があり、コンピュータの使用台数が増大するにつれて、当該配線コードの使用本数も増大する事になる。
【０００３】
場合によっては、所定の個数のコンピュータ群を所定の容積を持つラックに収納して、当該ラックに共通電源入力部を設けて、外部電源から各コンピュータに電力を供給する為の配線の本数を減らす試みが実行されてはいるものの、当該ラックの数も膨大な数になって来ると、それなりに配線の本数も増加し、また電力容量が増大すると当該配線の径も太くなり発熱量も増加して、別途冷却用空気流を流す必要が生じている。
【０００４】
係る状態を鑑み、コンピュータ群２が設置されている所定の空間内の環境を維持し、作業効率を向上される目的で、図７に示す様に、当該コンピュータ群２（２−１、２−２，２−３、２−４・・・・）が設置されている所定の空間３の床部分を本来の基礎床面２１との間に所定の間隔を維持して形成した、所謂ＯＡフロア２０或はフリーアクセスフロア２０が一般的に使用されており、当該ＯＡフロア２０のフロア表面４上に当該コンピュータ群２が設置されている表面フロア４と当該基礎床面２１との間に形成された空間部内２２に当該複数の配線コード２３を内蔵させている。
尚、当該各配線コード２３は、その端部を当該各コンピュータ（サーバ）又は、コンピュータラック等の任意の場所に設けられた電源入出力部８に電気的に接続されている。
【０００５】
然しながら、近年の通信情報の膨大化に伴い、一つの空間内に配置されるコンピュータの数は膨大な数に上り、それに伴って当該配線コードの使用本数も膨大化されるようになった結果、配線コードの設置作業が複雑となり、配線コード設置工事コストの増大化が顕在化すると共に、当該ＯＡフロア下部に設けられている当該空間部が当該配線コード群により充満され、空気の流通が阻害されて、当該配線コードから発生する熱を冷却する冷却空気流を当該空間内で効率的に循環させる事が不可能となり、結局当該冷却装置の出力を増大させる必要が生じ、それに伴って、当該冷却手段の消費電力が増加することになり、当該コンピュータの稼動コストの増加を来たすと共に、ＣＯ２の排出増加に加担することになり環境対策上好ましくない状況を生み出している。
【０００６】
一方、従来に於いて、一般的に使用されている配線コードに替えて、銅バーを使用する試みは、例えば、特開２００９−１２４８４１号公報（特許文献１）や、実用新案登録第３１２１１３７号公報（特許文献２）等に見られるが、特許文献１では、大電流をオン／オフする為に複数個のＦＥＴを並列に配置したスイッチ構造に於いて、従来の配線による発熱を回避するために、当該ＦＥＴのそれぞれのドレイン同士、及びソース同士を個別の銅板で接続させる技術が開示されているのみで、コンピュータに対する電源供給に関する配線の形状、構成に関しては開示されていない。
【０００７】
一方、特許文献２は、避雷器盤に於いて、入力端子とヒューズの間、及びヒューズと避雷器との間を銅バーで接続する例が開示されているが、目的は、従来のケーブル配線のインダクタンスによる電圧降下を防止する為に銅バーが使用されることを開示しているのみで、コンピュータに対する電源供給に関する配線の形状、構成に関しては開示されていない。
【先行技術文献】
【特許文献】
【０００８】
【特許文献１】特開２００９−１２４８４１号公報
【特許文献２】実用新案登録第３１２１１３７号公報
【発明の概要】
【発明が解決しようとする課題】
【０００９】
従って、本発明の目的は、上記した従来の問題を解決すると共に、配線工事が簡素化されると共に、配線用長尺状絶縁導体母線をユニット化することによって配線作業が効率化され、同時にフリーアクセスフロア内、或は当該フリーアクセスフロアの一形態であるＯＡフロア下部の空洞部を含むコンピュータ群が配置されている所定の領域での空間部のスペースを十分確保し、且つそれを有効に利用する事が可能となるので空調操作の効率化を図る事ができる、複数個のコンピュータに電源を供給する為のシステムを提供するものである。
【課題を解決するための手段】
【００１０】
本発明は、上記した目的を達成するために、基本的には、以下に記載されたような技術構成を採用するものである。
即ち、本発明に係わる複数個のコンピュータに電源を供給する為のシステムの態様は、複数個のコンピュータが集中して配置されている一定の領域に於ける当該各コンピュータに電源を供給する為のシステムであって、当該電源供給システムに於いては、当該領域に於ける基礎フロア上、若しくはフリーアクセスフロア上に直接的に若しくは適宜の基台部を介して配置されている複数個のコンピュータ群が、当該領域内の空間部に配置された、所定の幅と長さを有する導電性材料からなる平板状の長尺状絶縁導体母線を介して、外部電源と接続されている事を特徴とする電源供給システムである。
【発明の効果】
【００１１】
本発明は、基本的には上記した様な技術構成を採用しているので、上記した従来の問題を解決すると共に、配線用帯状体をユニット化することによって配線作業が効率化され、同時にフリーアクセス内、或はＯＡフロア下部の空洞部のスペースを十分確保する事が可能となるので空調機器の稼動状態を正常化し且つ効率化を図る事ができ、それによって、大量の発熱によるトラブルを防止し、経済的な電源供給システムが実現されると言う優れた作用効果を発揮するものである。
【図面の簡単な説明】
【００１２】
【図１】図１（Ａ）は、本願発明に係る電源供給システムの一具体例に於ける構成の例を示すブロック図であり、図１（Ｂ）は本願発明に係る電源供給システムの他の具体例に於ける構成の例を示すブロック図であり、又、図１（Ｃ）は本願発明に係る電源供給システムの別の具体例に於ける構成の例を示すブロック図である。
【図２】図２は、本願発明に係るシステム構成の具体例を示す平面図である。
【図３】図３は、本願発明に於いて使用されるける平板状絶縁導体母線の構成例を示す断面図及び斜視図である。
【図４】図４は、本願発明に於いて使用される平板状絶縁導体母線の形状の具体例を示す平面図である。
【図５】図５は、本願発明で使用される長尺状絶縁導体母線のパターン形状の一具体例を示す平面図である。
【図６】図６は、本願発明で使用される長尺状絶縁導体母線の積層状態を示す断面図である。
【図７】図７は、従来に於ける電源供給システムの構成の例を示す側面図である。
【図８】図８は、本願発明で使用される耐震性を有する連結手段の一具体例の構成示す図である。
【図９】図９は、本願発明で使用される基台部の一具体例の構成示す図である。
【図１０】図１０は、本願発明の他の具体例の構成示す図である。
【発明を実施するための形態】
【００１３】
以下に本発明の具体的な態様に於ける構成の例を、図面を参照しながら詳細に説明する。
即ち、図１（Ａ）は本発明にかかる複数個のコンピュータ群２への電源供給シス１に於ける第１の態様の一具体例の構成を示す図であって、図中、複数個のコンピュータ群２が集中して配置されている一定の領域３に於ける当該各コンピュータ２−１、２−２、２−３、２−４・・・に電源を供給する為のシステム１であって、当該電源供給システム１に於いては、当該領域３に於ける基礎フロア２１上、若しくはＯＡフロアを含むフリーアクセスフロア２０上に配置されている複数個のコンピュータ群２が、所定の幅と長さを有する導電性材料からなる平板状の一対の長尺状絶縁導体母線１０、１０’を介して、外部電源２５と接続されている事を特徴とする電源供給システム１が示されている。
【００１４】
以下の説明に於いて、当該コンピュータが搭載されるＯＡフロアと当該フリーアクセスフロアとは、その空洞部の高さが相互に異なるのみで、基本的には同じ構造を有しているので、当該ＯＡフロアは、当該フリーアクセスフロアの中に含まれるものとして、フリーアクセスフロアを定義する事にする。
【００１５】
即ち、本願発明の特徴は、従来、複数個のコンピュータに外部電源２５から電力を供給する場合に使用されている複数本の銅線からなる配線コードの使用をやめ、所定の幅と長さを有する導電性材料からなる平板状の一対の長尺状絶縁導体母線ユニット６、６’を連結して得られた長尺状絶縁導体母線１０、１０’を使用するものであり、係る長尺状絶縁導体母線１０、１０’を使用することによって、従来から顕在化されている上記各問題点の全てが一挙に解決できるのである。
【００１６】
尚、本願発明に於いて、一対の長尺状絶縁導体母線１０、１０’としては、２本の当該長尺状絶縁導体母線１０、１０’が一組として使用される場合であっても良く、或は、３本の当該長尺状絶縁導体母線１０、１０’、１０”が一組として使用される場合もある。
当該一対の長尺状絶縁導体母線の構成は、電源が直流であるか交流であるかにより適宜選択されるものである。
【００１７】
図１（Ａ）中、コンピュータ群２を構成するそれぞれのコンピュータ２−１、２−２、２−３、２−４・・・は、個々に独立したコンピュータ、例えばサーバであっても良く、或は、複数個のサーバが積層集積されて所定のラック手段内に収納された形状のものであっても良い。
当該所定の領域３とは、当該複数個のコンピュータ（サーバ）が配置されている、一つの空間を持つ室内を指すものであるが、その一部であっても良い。
【００１８】
又、本発明に於いては、当該複数個のコンピュータ群２は、図１（Ａ）に示す様に、当該フリーアクセスフロア２０の表面４に直接的に搭載配置されているものであっても良く、場合によっては、図１（Ｃ）に示す様に、当該フリーアクセスフロア２０の表面４と当該コンピュータ２の下端部との間に、適宜の空洞部３１を形成するために、適宜の枠体３２等で構成された基台部３０を設け、当該基台部３０により形成された空洞部３１内に当該帯状の長尺状絶縁導体母線ユニット６或は当該長尺状絶縁導体母線ユニット６を連結した長尺状絶縁導体母線１０を配置する事も可能であり、若しくは、図１（Ｂ）に示す様に、当該フリーアクセスフロア２０を使用せずに、当該空間領域３に於ける基礎フロア２１に、当該コンピュータを直接搭載させる場合に、更に適宜の空洞部３１を形成するために、適宜の枠体３２等で構成された基台部３０を設け、その上に当該複数個のコンピュータ群２を配置すると共に、当該空洞部３１内に当該長尺状絶縁導体母線１０を配置する事も可能である。
【００１９】
尚、本願発明に於ける当該フリーアクセスフロア２０の構成や当該空胴部２２、３１の大きさ、高さ等は、特に限定されるものではなく、公知のフリーアクセスフロア２０の構造を採用する事が出来る。
又、当該基台部３０の構成或は高さ、形状等は特に限定されるものではなく、公知の枠体３２が使用可能であるが、当該枠体３２には、後述する様に、その内部空洞部内に当該長尺状絶縁導体母線ユニット６、６’、若しくは当該長尺状絶縁導体母線１０、１０’が適宜の固定手段を解して並列的に固定保持されている事が望ましく、それによって当該基台部３０をユニット化して、配線ユニットして活用する事が可能である。
【００２０】
上記した本願発明に於ける具体例で使用される当該導電性材料からなる平板状の長尺状絶縁導体母線１０若しくは当該長尺状絶縁導体母線ユニット６と６’は、銅、白金、金、アルミ、超電導物質、導電性合成樹脂等の導電性材料で主として形成されたフレキシブル性を有する膜状体５”で構成されているものであって、全体的に柔軟性を有し、フラットケーブルとしての機能を発揮するものである。
【００２１】
当該膜状体５”で構成されている平板状の長尺状絶縁導体母線１０は、図３（Ａ）に示されている様な構成を有しており、その長手方向端部や長手方向に沿った端縁部には、後述する様な連結手段５５や、電源接続手段５４並びに接続部５２等が適宜に配置されるものである。
【００２２】
当該連結手段５５や、電源接続手段５４並びに接続部５２は、何れも導電性材料で構成されるものであって、その構造は特に限定されるものではなく、従来周知のものが使用可能である。
特には、当該連結手段５５や電源接続手段５４等は、フレキシブルな特性を有し、耐震性を発揮する構成を有している事が望ましい。
【００２３】
当該耐震性を有する当該連結手段５５や電源接続手段５４としては、例えば、図８に示す様に、隣接する当該長尺状絶縁導体母線ユニット６、６’の端部に固定されている適宜の固定手段５９との間に、細い銅の撚り線を複数本並列的に配列した構造のもの或はそれらを網状に形成したもの等を配設した構造のものが使用可能である。
【００２４】
一方、本願発明に於ける別の具体例にあっては、使用される当該平板状絶縁導体母線ユニット６、６’及び当該平板状絶縁導体母線ユニット６、６’が相互に連接されて形成された長尺状絶縁導体母線１０、１０’は、図３（Ｂ）に示す様に、銅、白金、金、アルミ、超電導物質、導電性合成樹脂等の導電性材料から選択された少なくとも一つの材料で一体的に構成されているソリッドな部材である事が好ましい。
【００２５】
一方、本願発明の別の具体例で使用される当該平板状絶縁導体母線ユニット６、６’及び当該平板状絶縁導体母線ユニット６、６が相互に連接されて形成された長尺状絶縁導体母線１０、１０’は、図３（Ｃ）に示す様に、導電性材料として、銅、白金、金、アルミ、超電導物質、導電性合成樹脂等から選択された少なくとも一つの材料から形成されたフレキシブルな膜状体５’を適宜のソリッド材料で構成された基板４０上に張り合わせて形成した部材４１で構成されているものであっても良い。
一方、本願発明に於ける当該平板状絶縁導体母線ユニット６、６’は、後述する、導電性接続部５２、連結部５５或は接合部５３を除いて、適宜の絶縁材料７により被覆されている事が望ましい。
【００２６】
本願発明に於ける当該平板状絶縁導体母線ユニット６は、適宜の厚みと幅方向長さ及び長手方向長さを有するものであるが、その数値は特に限定されるものではなく、使用される部署の広さ、使用されるコンピュータの数、当該コンピュータの配列形状、使用されるラック手段の規格長さ、或は所要電力の推定値等によって適宜の数値が決定されるものである。
例えば、当該平板状絶縁導体母線ユニット６の長手方向長さは、８００ｍｍであっても良い。
【００２７】
又、本願発明に於いて使用される電源２５は、交流電源であってもよく、又直流電源であっても良い。
本願発明に於いて、当該電源２５として、交流電源が使用される場合には、その電圧は、例えば１００Ｖ或は２００Ｖであることが望ましく、一方、当該電源２５として、直流電源が使用される場合には、その電圧は、例えば、３８０Ｖ、４８Ｖ、２４Ｖ等が使用される。
【００２８】
本願発明に於ける当該平板状絶縁導体母線ユニット６の性能としては、例えば、３８０Ｖ、６００Ａの電源を使用する場合に、その絶縁耐圧は２０００Ｖ以上とする事が望ましい。
更に、本願発明に於ける当該平板状絶縁導体母線ユニット６は、基本的には、図４（Ａ）に示す様に、長手方向に直線状の形状を有する帯状平板状の形状を有するものであるが、図４（Ｂ）に示す様に、当該平板状絶縁導体母線ユニット６の長手方向端縁部５１から外方に突出して設けられた導電性接続部５２が設けられている事が望ましい。
【００２９】
当該導電性接続部５２は、当該コンピュータ２の電源入力部８或は当該ラック手段２の適宜の共通電源入力部８’と適宜の接合手段５３を介して電気的に接合する様に構成されている。
当該平板状絶縁導体母線ユニット６に於ける、当該導電性接続部５２の配置位置及び配置個数は特に限定されるものではなく、当該平板状絶縁導体母線ユニット６により形成される長尺状絶縁導体母線１０の形状、及び当該複数個のコンピュータ群２の平面的配置パターン等により適宜決定されるものである。
【００３０】
本願発明に於いて使用される当該平板状絶縁導体母線ユニット６の変形パターンとしては、例えば、図４（Ｃ）に示す様に、当該平板状絶縁導体母線ユニット６の長手方向に対して所定の角度を持って形成された屈折部５６が当該平板状絶縁導体母線ユニット６の長手方向端縁部５１から外方に突出して設けられているものであり、又別の例としては、図４（Ｄ）に示す様に、当該平板状絶縁導体母線ユニット６の少なくとも一方の長手方向端部に於いて、当該平板状絶縁導体母線ユニット６の長手方向に対して所定の角度を持って形成された屈折部５７が設けられているものである。
【００３１】
本願発明に於ける当該屈折部５６、５７の屈折角度は、好ましくは９０度である。
一方、上記した本願発明の具体例では、当該導電性接続部５２は、当該平板状絶縁導体母線ユニット６の長手方向端縁部５１から当該平板状絶縁導体母線ユニット６の長手方向に対して略直交した角度で外方に突出して設けられている例を示しているが、本願発明では、当該コンピュータ２或はラック部２のブレーカや電源入力手段等の配置位置の関係から、当該導電性接続部５２は、当該平板状絶縁導体母線ユニット６の長手方向端縁部５１から当該平板状絶縁導体母線ユニット６の長手方向に対して略直交した角度以外の角度で外方に突出して設けられているものであっても良く、更には、当該導電性接続部５２は、当該平板状絶縁導体母線ユニット６の長手方向端縁部５１から湾曲状或はＳ字状に外方に突出して設けられているものであっても良い。
【００３２】
本願発明に於いては、図５に示す様な、上記した複数種類のパターンを持った当該平板状絶縁導体母線５を当該複数個のコンピュータ群２の配列パターンに合わせて最適なパターンを有する長尺状絶縁導体母線１０を形成する事が可能である。
係る構成によって、複数個のコンピュータ群（サーバを含む）２のそれぞれのコンピュータ或は当該コンピュータを収納したラック群２のそれぞれに対する電源供給用配線の設計が極めて容易となり、又、当該配線工事の作業効率も大幅に改善する事が出来る。
【００３３】
本願発明に於いては、通常、当該電源２５として、直流電源が使用される場合には、当該長尺状絶縁導体母線１０は、２本の当該長尺状絶縁導体母線１０が一組の対として使用され、第１の長尺状絶縁導体母線１０は例えば、正電極として機能し、第２の長尺状絶縁導体母線１０’は、負電極として機能する様に設定されるものである。
【００３４】
一方、当該電源として交流電源が使用される場合には、３本の当該長尺状絶縁導体母線１０が一組の対として使用され、それぞれが個別の電極を構成する。
次に、本願発明に於いて、当該それぞれの平板状絶縁導体母線ユニット６が、如何なる形態で、当該空間部、例えば、当該基台部内の空洞部内、に配置されるかについて説明する。
【００３５】
即ち、本願発明に於いては、当該複数本の当該長尺状絶縁導体母線１０、１０’は、図１（Ａ）乃至図１（Ｃ）に示されている様に、複数個のサーバを含むコンピュータ２或はそれらが積層されて配置されているラック部２が横方向に隣接されて配列される方向に沿って配置されることが好ましい。
【００３６】
更に、本願発明に於いては、当該複数本の当該長尺状絶縁導体母線１０、１０’は、当該複数のコンピュータ或はラック部２が配列されている列の間に形成されている通路部のフロア下部の空間部２２、３１に収納し配置することも可能であるが、特には、当該複数のコンピュータ或はラック部２が配列されている列の下方にある空間部２２、３１内に収納し配置することが望ましい。
【００３７】
更に、付言するならば、通常、当該コンピュータ２は、その電源入力部を当該コンピュータ２の背面部に配置しているので、当該複数本の当該長尺状絶縁導体母線１０、１０’は、横方向に隣接して配置されている複数台のコンピュータ或はラック部２の奥側の下部に相当するフリーアクセスフロア内の空洞部に配置することが望ましい。
【００３８】
又、本願発明に於いては、当該コンピュータ或はラック部２は、必要により、更に横方向に別のコンピュータ或はラック部２を接続させて増設する事が多く、その為に、当該コンピュータ或はラック部２の列の端部に相当する位置に配置される当該長尺状絶縁導体母線１０、１０’は、その端部が当該コンピュータ或はラック部２の列の端部よりも外方に突出している状態を維持している事が好ましい。
【００３９】
次に、本願発明に於いて使用される当該長尺状絶縁導体母線１０、１０’は、図１に示す様に、当該フリーアクセスフロア内空間部２２或は当該基台部内空間部３１内で、当該基礎フロア部２１の表面に対して、その幅方向ｗが垂直方向に向くように、立体的に配置するものである。
【００４０】
その際、当該長尺状絶縁導体母線１０、１０’は、図６（Ａ）に示す様に、当該基礎フロア部２１の表面に並列して直立して配置されているものであっても良く、ブレーカの位置或は電源入力部の位置等を勘案して、一方の長尺状絶縁導体母線１０を他方の長尺状絶縁導体母線１０’に対して、配置位置を上下方向に適宜変位させた状態に配置させることも可能である。
【００４１】
尚、本願発明に於いては、当該長尺状絶縁導体母線１０、１０’は、図６（Ａ）又は図６（Ｂ）に示す様に、当該複数個の当該コンピュータ或はラック部２の配列方向と直交する方向に配置させることも可能である。
【００４２】
より詳細に説明するならば、本願発明に於ける上記具体例に於いては、図６（Ａ）に示す様に、少なくとも一つの組を構成する複数本の当該長尺状絶縁導体母線１０、１０’のそれぞれが、当該領域３内の基礎フロア２１の表面４若しくはフリーアクセスフロア２０の表面４に対して、当該長尺状絶縁導体母線１０、１０’に於ける幅方向線ｗが直交する角度を形成する様に、当該空間部内で立体的に配列されているものである。
【００４３】
一方、上記具体例とは異なる別の具体例に於いては，図６（Ｂ）に示す様に、少なくとも一つの組を構成する複数本の当該長尺状絶縁導体母線１０、１０’のそれぞれが、当該領域３内の基礎フロア２１の表面４若しくはフリーアクセスフロア２０の表面４に対して、当該長尺状絶縁導体母線１０、１０’に於ける幅方向線ｗが直交する角度以外の角度を形成する様に、当該空間部内で立体的に配列されているものである。
【００４４】
本願発明における、更に別の具体例に於いては、図６（Ｃ）に示す様に、当該複数本の当該長尺状絶縁導体母線１０、１０’のそれぞれが、当該領域３内の基礎フロア２１の表面４に対して、当該長尺状絶縁導体母線１０、１０に於ける幅方向線ｗが当該基礎フロア面２１の表面４と平行となる様に、当該空間部３内で重畳的に積層配置されているものである。
【００４５】
本願発明における、更に異なる具体例に於いては、図６（Ｄ）に示す様に、少なくとも一つの組を構成する複数本の当該長尺状絶縁導体母線１０、１０’のそれぞれが、当該領域内の基礎フロア面に対して、当該長尺状絶縁導体母線に於ける幅方向線が当該基礎フロア面と平行となる様に、当該空間部内で並列平行的に配置されているものであっても良い。
【００４６】
本願発明に於ける上記した図６（Ｃ）に示す具体例は、特に当該コンピュータ２或はラック部２の下部の空間部が広く取れない場合には、当該複数本の当該長尺状絶縁導体母線１０、１０’のそれぞれを水平面に平行に配置して、相互に積層させることにより、当該空間部の高さの制約に対応させることが可能である。
【００４７】
更に、図６（Ｃ）に示す具体例に於いては、当該積層された複数本の当該長尺状絶縁導体母線１０、１０’は、当該コンピュータ２或はラック部２の後背面部の下方部の空間部２２内に配置される事が好ましい。
【００４８】
上記の通り、図１（Ａ）に記載された具体例では、当該長尺状絶縁導体母線１０は、数個のコンピュータ群２が配置されているフリーアクセスフロア２０の表面４の下側に形成された空洞部２２内に配置されている構成を示したが、以下に、本願発明の他の具体例を図１（Ｂ）及び図１（Ｃ）を参照して説明する。
【００４９】
即ち、図１（Ｂ）に示される第２の具体例では、フリーアクセスフロア２０は使用せずに、基礎フロア２１の表面の直接に当該複数個のコンピュータ群２０を配置する構成をとるものであって、その際、当該基礎フロア２１の表面と当該数個のコンピュータ群２の下端部との間に、適宜の高さを有する枠体部３２で構成された基台部３０を挿入する事により空洞部３１を形成し、当該空洞部内に当該長尺状絶縁導体母線ユニット６、６’が連結されて形成された長尺状絶縁導体母線１０を設置した構造を有するものである。
【００５０】
一方、図１（Ｃ）に示される第３の具体例では、フリーアクセスフロア２０は使用するが、当該フリーアクセスフロア２０の空洞部２２内には、何も挿入せず単なる空洞部として存在させるものであって、当該フリーアクセスフロア２０の表面４に直接に当該複数個のコンピュータ群２０を配置する構成をとるものであって、その際、当該フリーアクセスフロア２０の表面４と当該数個のコンピュータ群２の下端部との間に、適宜の高さを有する枠体部３２で構成された基台部３０を挿入する事により空洞部３１を形成し、当該空洞部内に当該長尺状絶縁導体母線１０を設置した構造を有するものである。
【００５１】
本願発明に於いては、当該複数個のコンピュータ群２が当該所定の空間領域３内で、どのようなパターンで配置されるかが決定されると、それぞれのコンピュータ２に対する外部電源からの電源配線パターンはその時点で確定するので、当該電源配線パターンに沿って、当該平板状絶縁導体母線１０を適宜に組み合わせて所定の形状を持った長尺状絶縁導体母線パターンが決定される。
【００５２】
従って、当該所定の形状を持った長尺状絶縁導体母線パターンに沿って、所定のコンピュータ２の下端部に、個々の平板状絶縁導体母線ユニット６を適宜選択して相互に連結することにより、当該所定の形状を持った長尺状絶縁導体母線１０が形成されるものである。
【００５３】
その後、当該平板状絶縁導体母線ユニット６に設けられている当該導電性接続部５２と当該それぞれのコンピュータ２の電源入力部８、８’とを適宜の接合手段５３により接合するものである。
係る構成に於いては、当該外部電源２５が床上にある場合は元より、当該外部電源２５が天井部にある場合でも、或は当該外部電源をフリーアクセスフロア２０の当該空洞部内に挿入しておく事も出来る。
【００５４】
係る構成を採用することによって、電源供給用配線の設置操作を極めて短時間に縮小する事が可能となり、配線工事に要する期間並びにコストを大幅に減少させる事が可能となる。
処で、本願発明に於いては、当該長尺状絶縁導体母線１０を当該所定の空間領域３に配置すると規定しているが、空間部とはその一部の特定の部分を示すものであって、具体的には、当該所定の領域３内に形成される当該コンピュータ本体部２を除く、当該コンピュータ本体部２の上面部、側面部、下面部、及びバスダクト部等から選択された一つに沿って形成されている任意の空間であり、更には、当該フリーアクセスフロア２０や基台部３０内にそれぞれ形成される空洞部２２、３１も当然当該空間部にふくまれるものである。
【００５５】
より具体的には、当該空間部は、当該所定の領域３内に於ける基礎フロア部２１の表面と当該基礎フロア部表面上に形成されたフリーアクセスフロア２０との間に形成される空洞部２２であるか、若しくは、当該所定の領域内に於ける基礎フロア部２１の表面又は当該フリーアクセスフロア２０の表面４と当該コンピュータ群２の下端部との間に挿入配置される、適宜の高さを有する枠体部３１で構成された基台部３０内に形成される空洞部３１を含んでいる。
【００５６】
従って、本願発明に於いては、主に当該フリーアクセスフロア２０内部の空洞部２２内に当該長尺状絶縁導体母線１０が配置される態様を説明したが、図１０に示す様に当該複数個のコンピュータ群２が配列されている上面部の適宜の空間部に、本願発明に係る当該長尺状絶縁導体母線ユニット６，６’を適宜に連結して形成された一対の長尺状絶縁導体母線１０、１０’を所定のパターンに従って配置するものであり、当該長尺状絶縁導体母線１０、１０’は、当該コンピュータ２のそれぞれの上部端部に適宜の固定手段を介して固定しておく事が出来る。
【００５７】
更に、本具体例では、特に、外部電源が、天井部にある場合には、当該長尺状絶縁導体母線１０を当該コンピュータ２の上面部に配置することは、配線設計上、又コスト面から好ましい態様である。
係る具体例に於いては、当該電源と当該コンピュータの上面部に配置された長尺状絶縁導体母線１０とを、例えば、コンピュータ室の壁面に形成されている所謂バスダクト７０を利用し、当該バスダクト７０内に本願発明に係る長尺状絶縁導体母線１０を配置することも出来る。
【００５８】
図１０の具体例に於いては、当該長尺状絶縁導体母線１０の配線に関しては、図９で説明する基台部ユニット３０を当該コンピュータ２の上端部に適宜の固定手段を介して配設し、所定の長尺状絶縁導体母線１０パターンを形成することが可能である。
【００５９】
更には、当該コンピュータ２の側面壁部に本願発明の長尺状絶縁導体母線１０を取り付ける事も可能である。
次に、本願発明に於いて使用される基台部３０について、その一具体例を、図９を参照しながら説明する。
【００６０】
即ち、当該基台部３０は、基礎フロア２１或はフリーアクセスフロア２０の表面とその上に配置されるコンピュータ２の下端部との間に適宜の空間部である空洞部２２、３１を形成する目的で使用されるものであり、基本的には、複数個のコンピュータ或はコンピュータ収納用ラック手段２により形成される総合底面の平面形状に一致する形状を有するものであるが、好ましくは、配列されている個々のコンピュータ或はコンピュータ収納用ラック手段２の底面の平面形状を有するユニット化された基台部３０である。
【００６１】
この様に当該基台部３０をユニット化しておけば、当該複数個のコンピュータ或はラック手段２０が如何なる配置パターンをとったとしても、自由に且つ任意に対応して配置することが可能である。
そして、当該基台部３０は、適宜の高さを有する枠体部３２で構成されており、且つ当該枠体部３２内の空胴部３１内に、複数個の当該長尺状絶縁導体母線ユニット６、６’が相互に並列して配列固定されているものである。
【００６２】
当該長尺状絶縁導体母線ユニット６、６’は、例えば、当該枠体部３２に設けられた適宜の支持部３３に適宜の固定手段３４を介して固定されていても良く、場合によっては、適宜の着脱式固定手段３４を介して着脱自在に固定されているものであっても良い。
当該長尺状絶縁導体母線ユニット６、６’の配置本数は特に限定されないが、配線設計により、複数組の長尺状絶縁導体母線ユニット対を配置することは可能である。
【００６３】
当該複数個の基台部ユニット３０が当該コンピュータ群２の上面部、下端部若しくは側面部に沿って、適宜の形状で隣接配置されることになる。
その際に、当該相互に隣接配置された基台部ユニット３０、３０’内の個々に対応するそれぞれの長尺状絶縁導体母線ユニット６、６’の端部間が、適宜の導電性連結手段３６を介して相互に連結されるように構成されている事が望ましい。
更に、当該導電性連結手段３６は、着脱自在に構成されていることが更に望ましい。
【００６４】
又、図９に於いて、当該導電性連結手段３６が、当該基台部３０の対向する一対の枠体縁部の双方から外方に突出している例が示されているが、本願発明に於いては、一方の当該一対の枠体縁部から当該導電性連結手段３６が外方に突出しており、他方の枠体縁部に於いては、当該導電性連結手段３６が当該枠体縁部から内部側に収納され、凹陥部を形成している構造を有するものであっても良い。
【００６５】
更に、図９（Ｃ）は、隣接して配置される当該基台部３０、３０’の相互の長尺状絶縁導体母線ユニット６、６’の端部同士を連接する例を示したものであり、説明をわかりやすくする為に当該連結手段を拡大して表示したため、当該隣接して配置される当該基台部３０、３０’の相互に接合する端部同士が間隔を空けて示されているが、実際には、上記したような連結手段３６を使用することによって、当該基台部３０、３０’接合端面同士は互いに密接して配置されるものである。
【００６６】
上記したとおり、本願発明に係る当該基台部３０は、複数個のコンピュータ２が集中して配置されている一定の領域に於ける当該各コンピュータ２に電源を供給する為のシステムであって、当該コンピュータ２が平板状の長尺状絶縁導体母線１０を介して、外部電源２５と接続されているシステムに於いて使用される基台部ユニット３０であって、当該基台部ユニット３０は、所定の高さを持つ枠体部３２を有し、当該枠体部３２内には、複数本の互いに平行に配置された長尺状絶縁導体母線ユニット６、６’群が、当該枠体部３２に固定的若しくは着脱自在な状態で配置されており、且つ、当該枠体部３２の外側壁面には、隣接する当該基台部ユニット３０のそれぞれ対応する長尺状絶縁導体母線ユニット６、６’同士が相互に着脱自在に電気的に接続する事を可能とする接続手段３６が設けられている構成を有するものである。
【００６７】
以下に、上記した各具体例に共通する本願発明に於ける配線構造の詳細な具体例を、図２を参照しながら説明する。
即ち、複数台のコンピュータ２−１、２−２が集中して配置されている一定の領域３に於ける当該各コンピュータ２に電源を供給する為のシステム１であって、当該電源供給システム１は、
当該領域３に於けるフリーアクセスフロア２０或は基礎フロア２１上に配置されている複数個のコンピュータ群２と、
当該フリーアクセスフロア２０の当該コンピュータ群２が搭載されている当該表面部４と当該基礎フロア２１との間に形成された空胴部２２内、若しくは、当該フリーアクセスフロア２０の表面４又は当該基礎フロア２１の表面と当該コンピュータ群２の下端部との間に設けられた、適宜の枠体部３２による基台部３０により形成された空胴部３１内に配置された、所定の幅と長さを有する導電性材料からなる複数個の平板状絶縁導体母線ユニット６、６’が、その長手方向に適宜の連結手段５５を介して相互に連接されて形成された一対の長尺状絶縁導体母線１０、１０’と、
当該長尺状絶縁導体母線１０、１０’の長手方向端部の少なくとも一方の端部に配置された外部電源部２５と接続する為の電源接続部５４と、
当該長尺状絶縁導体母線１０、１０’の側縁部５１から突起して形成された導電性接続部５２であって、当該各コンピュータ２のそれぞれの電源入力部８、若しくは、複数個のコンピュータ群２がグループ化されて集合しているコンピュータラック部２の共通電源部８’に適宜の接合手段５３を介して接続される導電性接続部５２と、
から構成されているものである。
【００６８】
尚、上記具体例に於いては、当該導電性接続部５２と当該各コンピュータ２のそれぞれの電源入力部８、若しくは当該複数個のコンピュータ群がグループ化されて集合しているコンピュータラック部２の共通電源部８’とは、適宜のブレーカ４５を介して接合される事も望ましい。
【符号の説明】
【００６９】
１…電源供給システム
２…コンピュータ群
３…所定の空間領域
４…ＯＡフロア表面部
５…平板状絶縁導体母線
５’…膜状体
５”…膜状体
６…長尺状絶縁導体母線
８…電源入力部
８’…共通電源入力部
１０…一対の長尺状絶縁導体母線
２０…ＯＡフロア、フリーアクセスフロア
２１…基礎フロア
２２…空間部
２３…配線コード
２５…外部電源
３０…基台部
３１…空間部
３２…枠体部
４０…基板
４１…部材
４５…ブレーカ
５１…長手方向端縁部
５２…導電性接続部
５３…接合手段
５４…電源接続手段
５５…連結手段
５６…屈折部
５７…屈折部
６０…固定手段
７０…バスダクト
【図１】
2012008764.tif 000003
【図２】
2012008764.tif 000004
【図３】
2012008764.tif 000005
【図４】
2012008764.tif 000006
【図５】
2012008764.tif 000007
【図６】
2012008764.tif 000008
【図７】
2012008764.tif 000009
【図８】
2012008764.tif 000010
【図９】
2012008764.tif 000011
【図１０】
2012008764.tif 000012